(57)【要約】【課題】  空調機からの冷気で、送風機に結露をして水滴が落下し、またダクトの接続が多く作業性が悪かった。【解決手段】  本体としてのケース３１内に送風機３２と、この送風機の風の向きを変える風向変更手段としてのケーシング５、６、からなる送風手段とを設けると共に、前記本体には空調機に接続され、この空調機からの空気を吹出す吹出し口を有するノズル３４を設け、前記送風手段からの気流Ａと、前記ノズル３４の吹出し口４１，４２からの気流Ｂとを並列に吹出すように設けた。【選択図】        図１
2005106462.tif 000002
【特許請求の範囲】
【請求項１】
本体と、
前記本体内に設けられた送風機と、
前記送風機のファンの周囲を囲むように形成されるケーシングと、
空調機とダクトを介して連通し、前記ケーシングと水平方向に隔てられて前記本体内に設けられるノズルとを備える送風装置。
【請求項２】
ノズルの吹出し口のケーシング側の角部がカットされた切り欠き部を設けたことを特徴とする請求項１に記載の送風装置。
【請求項３】
ノズルとダクトとの接続部に気流を分ける仕切りを設けたことを特徴とする請求項２または請求項３に記載の送風装置。
【発明の詳細な説明】
【技術分野】
【０００１】
この発明は、室内の天井等に設置され空調機からの空気と室内空気を並列に吹出す送風機に関するものである。
【背景技術】
【０００２】
従来の送風装置を図９、１０によって説明する。図９は送風装置の断面図で、図１０は送風装置の側面図である。図において、送風装置１は、ファン３，４と、このファン３，４をそれぞれ被うケーシング５，６と、このファン３，４及びケーシング５，６を駆動させる駆動部２０と、ファン３，４と、ケーシング５，６と、駆動部２０を収納したケース１０と、空調機（図示せず）から冷気等を流し込む垂直ダクト１５と、この垂直ダクト１５から流れた気流を分岐させる分岐ダクト１６と、各ファン３，４に気流を流し込むための個別ダクト１７，１８とを備え、この個別ダクト１７，１８は、分岐ダクト１６の一端に接続され、他端がケース１０の天面１０ａに固定されている。
【０００３】
従来の送風装置１の動作を図によって説明する。まず、駆動部２０がファン３，４を回転して気流を吹き出し、同時に、ケーシング５，６を揺動させて気流の方向を変更しながら吹き出す。一方、垂直ダクト１５から空調機から冷気等が送られ、この気流が分岐ダクト１６で分岐し、個別ダクト１７，１８を通過してケース１０の内部を通過して矢印のように気流が室内に流れる。
【発明の開示】
【発明が解決しようとする課題】
【０００４】
しかしながら、従来の送風装置１は、垂直ダクト１５から流れ込む冷気と、外気との温度差によってケース１０の外面及びケーシング５、６の表面等に図９に示すように水滴１３及び１３ａを多数発生し、この水滴１３，１３ａが室内に垂れ落ちて人に不快感を与えてるという課題があった。また、垂直ダクト１５の気流がファン３，４に当たるとファンの回転数が低くなる等の回転に影響が生じ、垂直ダクトからの気流を強くすることができないという課題があった。
【０００５】
また、送風装置１の天面に個別ダクト１７，１８及び分岐ダクト１６、垂直ダクトがほぼ垂直に立設されているので、垂直方向の高さ（天井ふところ高さと称する。）が高くなり、天井ふところ高さを高くしなければならないという課題があった。
【０００６】
また、冷気等の気流が垂直ダクト１５を通過して、分岐ダクト１６の底面に衝突して分岐し、個別ダクト１７，１８に流れるので、分岐ダクト１６を通過する際の気流損失が大きいという課題があった。
【０００７】
この発明は、上記のような課題を解決するためになされたもので、ケースやケーシング等に水滴が発生しにくくし、室内側の天井ふところ高さを低くでき、しかも、気流損失の小さい送風装置を提供することを目的とするものである。
【課題を解決するための手段】
【０００８】
本発明に係る送風装置は、一方が開口した本体内に、送風機と、この送風機の風の向きを変える風向変更手段からなる送風手段とを設けると共に、前記本体には空調機に接続され、この空調機からの空気を吹出す吹出し口を設け、前記送風手段からの気流と、前記吹出し口からの気流とを並列に吹出すように設けたものである。
【０００９】
また、一方が開口した本体内に、送風機と、前記送風機の風の向きを変える風向変更手段からなる送風手段とを設けると共に、前記本体には前記送風手段と、空調機からの空気を吹出すノズルを並列に設けたものである。
【００１０】
また、前記ノズルが一つの入口と複数の吹出し口を有するものである。
【００１１】
また、前記ノズルの入口に空調機に接続され、この空調機からの空気を送るためのダクトの接続が複数の方向からできるものである。
【００１２】
また、前記ノズルの吹出し口の前記送風手段側に切り欠き部を設けたものである。
【００１３】
また、上記ノズルの入口に気流を分ける仕切りを設けたものである。
【００１４】
また、上記ノズルは、断熱材で形成されているものである。
【発明の効果】
【００１５】
本発明によれば次のような効果を有する。
送風手段による気流と空調機からの気流を吹出す吹出し口からの気流とを並列にしたので、空調機からの気流による送風手段に対して回転斑等の影響を与える事が無く、また、送風手段の表面に結露を発生させる事が無いという効果がある。
【００１６】
また、空調機からの空気を吹出す吹出し口としてのノズルを設けたことにより送風手段と風路を容易に並設でき、また、製品の小形化が図れる効果がある。
【００１７】
また、空調機からのダクトの接続が、ノズルの入口一ヶ所でできるので、ダクトの接続工事が簡単になり、また、ダクト配管中の圧損が少なくできる効果がある。
【発明を実施するための最良の形態】
【００１８】
実施の形態１．
この発明の実施の形態を図１から図８に基づいて説明する。図１は送風装置の側面図、図２は下平面図、図３はダクトをノズルの側面に接続した断面図、図４はダクトをノズルの上面に接続した断面図。図５、図６はノズルの斜視図及び断面図である。図７及び８は気流の流れを示す図である。図中、従来例と同一符号は同一又は相当部分を示しており、説明を省略する。
図において、送風装置３０は、本体としてのケース３１と、このケース内に設けられた風を送る送風機３２と送風機３２から送られる風の向きを定期的に変更する風向変更手段としてのケーシング５、６からなる送風手段を有し、ケース３１の側面３３の内側に設けられた空調機（図示せず）からの空気を吹出すノズル３４から構成される。送風機３２及びケーシング５，６からなる送風手段とノズル３４はノズル３４からの気流が前記送風手段に当たらないように並列に設けられている。
【００１９】
ケース３１は風の吹出す側が開口した箱型の筐体で、側面３３にはノズル３４を取り付け固定した時、ノズルの入口に合う開口３５ａ，３５ｂが設けられている。ノズル３４は抑え金（図示せず）をねじ（図示せず）で側面３３に締め付けてノズル３４の一部を押さえて固定する。
送風機３２は２個のファン３、４と、このファン３、４を回転させる駆動部２０から構成されている。
風向変更手段としてのケーシング５、６はファン３及び４の周囲を囲むように形成され。吸込み側３６と、吹出し側３７とが構成されて一定時間間隔で揺動回転して風の向きを変えている。
ノズル３４は空調機からの冷風又は温風等が送られてくるダクト３８を接続して気流を分岐するもので、ダクト３８を接続して空調機からの気流が入る入口４０と、この入口４０に連通して気流を吹出す複数の吹出し口４１、４２を有した矩形形状をなしている。
【００２０】
ノズル３４のケース３１への取り付けは、ケース３１の長手方向の中央部にノズル３４の仕切５０のセンターをあわせて、入口４０の開口側（ダクトの接続面側）がケース３１の側面３３と天面４３の内側に取り付けられる。このとき、ノズル３４の吹出し口４１、４２はケース３１の開口側に位置する。
ノズル３４へのダクト３８の接続は図３及び図４に示すようにケース３１の天面４３の方向からと、側面３３の方向から接続する方法がある。
図３のように、ケース３１の側面３３の方向から接続する場合は、天井空間が低く狭い場合に適している。
また、図４のように、ケース３１の天面４３の方向から接続する場合は、壁際など横に障害物がある場合、または、天井空間が大きい場合に適している。
【００２１】
ノズル３４とダクト３８との接続は、ノズル３４の入口４０の開口部にダクト３８の端部を当接させ固定する。そして、ダクトの接続部分以外の入口４０の開口を塞ぐために、蓋４４を取り付け、空気が漏れないように閉じる。
【００２２】
次にノズル３４について説明する。図４において、ノズル３４はノズル自身の表面及びその周辺部に結露の発生を抑制するために発泡スチロールや合成樹脂等の断熱材で構成して、略長方形体で、中央部には、空調機等からの気流が入る入口４０を有し、入口４０は側面３４ａ方向及び天面３４ｃ方向のどちらからも入口となるように形成されている。入口４０は４８と４９の二つの凹部からなり、この凹部４８と４９との境に仕切り５０が設けられている。
【００２３】
仕切り５０は入口４０における、空調機からの気流を整流するもので、後述する穴５１及び５３に気流を流れやすくしている。
仕切り５０の先端５０ａ、５０ｂは空気抵抗を小さくするために尖っている。先端５０ａはノズルの側面３４ａより低くなっており、先端５０ａと側面３４ａとの間に間隔５０ｃを有している。間隔５０ｃにより凹部４８と４９に流れる気流のバランスが保たれる。すなわち凹部４８と４９に気圧差や風量差があると、気圧の高い方から低い方へ、または、風量の多い方から少ないほうへ気流が動き同じ気圧または、風量になり、左右の吹出し口４２、４１より吹出される風量が同じになるようにバランスが取れる。
【００２４】
凹部４８の仕切り５０に対向する右側面には、右側のファン３側に気流を流し込むための穴５１が設けられ、略Ｌ字形状の通気孔５２により吹出し口４１に連通している。
また、凹部４９の左側側面には左側のファン４側に気流を流し込むための穴５３が設けられ、略Ｌ字形状の通気孔５４により吹出し口４２に連通している。
【００２５】
ノズル３４の吹出し口４１及び４２のある下面３４ｄからケース３１の側面３３の反対側になる側面３４ｂにかけて吹出し口４１及び４２の角部がカットされた状態の切り欠き５５が設けられている。この切り欠き５５は吹出し口４１及び４２から吹出される気流の一部が風向変更手段としてのケーシング５、６側にも吹出すようにして、ケーシング５、６から吹出される気流に引き込まれやすくするもので、ケーシング５、６が揺動回転して風向が変化しても、ケーシング５，６方向に吹出し口４１、４２からの気流が流れるので、ケーシング５、６の気流方向に空調機からの冷気や暖気を行き渡らせる事ができ、使用者に冷房による涼しさや暖房による温かさをむらなく与えることができる。
なお、切り欠き５５の形状は吹出し口４１、４２から吹出される気流の一部がケーシング５、６側に向いて吹出されるものであれば、切り欠きの角度や形状、大きさはなどは特に限定するものではない。
【００２６】
ノズル３４は発泡スチロールや断熱性の高い合成樹脂材料にて成形により製作する。
【００２７】
上記のように構成された送風装置の動作を以下に説明する。
まず、送風機３２の駆動部２０がファン３，４を回転して気流Ａを吹き出すと同時に、ノズル３４の吹出し口４１及び４２よりダクト３８を介して空調機からの冷気又は暖気である気流Ｂを吹出す。気流Ａはケーシング５，６を揺動回転させて吹出す方向を所定の角度の範囲に変更しながら吹き出す。一方、気流Ｂはダクト３８からノズル３４の入口４０に入り仕切り５０で凹部４８と４９の部分に分けられ、凹部４８と４９の側面に設けられた穴５１、５３から通気孔５２、５４を経由して吹出し口４１、４２より吹出される。
【００２８】
送風機３２とケーシング５，６からなる送風手段とノズル３４は並列に設けられているので、気流Ａと気流Ｂは気流Ａが下へ垂直に吹出されるときは並行状態になり、ケーシング５、６が回転して気流Ａが左側（反ノズル側）へ吹き出るときは（図７に示す）、気流Ｂは一部を除いて気流Ａに引かれて気流Ａ側に曲がり、ケイシング５、６が回転して気流Ａが右側（ノズル側）へ吹き出るときは（図８に示す）、気流Ｂは気流Ａに押されて右側へ曲がる。このようにして、気流Ｂは気流Ａによって室内の広い範囲に行き渡ることになる。
【００２９】
また、ケース３１の側面３３の内側にノズル３４を設け、気流Ａと気流Ｂが並列に吹出すようにしたことにより、気流Ｂがファン３、４やケーシング５、６に当ら無いので、ファン３、４の回転に回転斑等の影響を与える事が無く、また、ファン３、４やケーシング５、６の表面に結露を生じさせることがなく、室内に結露水を落とすことがない。
【００３０】
また、入口４０を一ヶ所にして、吹出し口４１、４２を複数設けたノズル３４にダクトを接続するようにしたので、分岐ダクトを接続する必要がなくなり、ダクトの接続作業が容易になった。
また、分岐ダクトがなくなったのでダクト配管のための空間が少なくでき、狭い空間でも作業ができる。
また、ダクト配管の長さの減少と接続箇所および曲がり箇所の減少により、配管による圧力損失を少なくすることができる。
【００３１】
また、ノズル３４を設けたことにより、一つの部品で入口から吹出し迄の風路が構成でき、周辺を含めた製品の小形化が図れ、送風機３２及びケーシング５、６の気流Ａと空調機からの気流Ｂの並設が容易に構成できる。
ノズルの入口４０に上方と側面の２方向からダクトが接続できるようにしたので、壁面の近くとか、狭い天井空間など設置場所に応じてダクトの接続方向が選択できるので、取り付け、使用場所が拡大すると共に取り付けやすくなる。
特に、ケースの側面３３の方向からもダクト３８の接続ができるので、天井裏等の狭い空間でもダクトの接続が容易にできる。
【００３２】
また、ノズル３４の側面３４ｂ側に切り欠き５５を設けたので、気流Ｂの一部が切り欠き５５から出て、気流Ａに引き込まれやすくなり気流Ｂの冷気や暖気を室内に広く送ることができる。
【００３３】
また、ノズル３４の入口４０に仕切り５０を設けたことにより、整流作用により入口４０から通気孔５２、５４へ気流が流れやすくなりノズル内の圧損を少なくすることができる。
【００３４】
また、ノズル３４を断熱性の高い材料を使用することにより、ノズル内を冷気が流れたとき、熱伝導性が低いのでノズル３４の外周面が低温なりにくく、また、周囲のケース３１にも低温が伝わり難いので低温になって結露する部分が少なく、結露防止のための断熱材を張り付ける面積が少なくてすむ。
【００３５】
また、空調機からのダクトとノズルの接続が、ノズルの上方及び側面の２方向からできるようにしたので、取り付け空間の状況に応じてどちらからでもでき、また、側面方向からの接続ができるので天井裏等の狭い空間でも接続が容易にできる効果がある。
【００３６】
また、ノズルの吹出し口の送風手段側の側面側に切り欠きを設けたので、ノズルからの気流が送風手段側の気流に引き込まれやすくなり、ノズルからの気流の冷気や暖気を広い範囲に送ることができる効果がある。
【００３７】
また、ノズルの入口に仕切りを設けたことにより、入口から両方の通気孔へ気流が流れやすくなり圧損を少なくすることができる効果がある。
【００３８】
また、ノズルを断熱性の高い材料で構成したことにより、ノズル内を冷気が流れたとき、ノズルの外周面が低温になりにくく、また、周囲のケースにも低温が伝わり難いので結露する部分が少なく、結露防止のための断熱材を張り付ける面積が少なくてすむ効果がある。
【図面の簡単な説明】
【００３９】
【図１】この発明の送風装置の側面図である。
【図２】この発明の送風装置の下平面図である。
【図３】この発明のダクトをノズルの側面に接続した断面図である。
【図４】この発明のダクトをノズルの上面に接続した断面図である。
【図５】この発明の送風装置のノズルの斜視図である。
【図６】この発明の送風装置のノズルの断面図である。
【図７】この発明の気流の流れの状態を示す図である。
【図８】この発明の気流の流れの状態を示す図である。
【図９】従来の送風装置の断面図である。
【図１０】従来の送風装置の側面図である。
【符号の説明】
【００４０】
３，４  ファン、  ５，６  ケーシング、  ３１  ケース、  ３４  ノズル、  ３８  ダクト、  ４０  入口、  ４１，４２  吹出し口、  ５０  仕切り、  ５５  切り欠き。
【図１】
2005106462.tif 000003
【図２】
2005106462.tif 000004
【図３】
2005106462.tif 000005
【図４】
2005106462.tif 000006
【図５】
2005106462.tif 000007
【図６】
2005106462.tif 000008
【図７】
2005106462.tif 000009
【図８】
2005106462.tif 000010
【図９】
2005106462.tif 000011
【図１０】
2005106462.tif 000012